(57)【要約】【課題】  盗聴防止機能（暗号化機能）付きの電話機の利用者が特別な注意を払わなくても、回線に送信される音声信号が暗号化されているか否かを把握する。【解決手段】  ＲＴＰパケット化後の音声信号および/または音声抽出前のＲＴＰパケットを取得し、専用のスピーカに音声として出力する。暗号化が適切になされていれば、出力される音声はノイズとなり、暗号化の有無を確認できる。【選択図】  図２
2006100969.tif 000002
【特許請求の範囲】
【請求項１】
回線に送信する音声信号を暗号化するとともに回線から受信した暗号化された音声信号を復号する機能を備える電話機であって、
回線に送信時の音声データおよび/または回線から受信時の音声データを取得する音声キャプチャ手段と、
前記音声キャプチャ手段において取得した前記音声データを音声として出力するキャプチャ出力手段と、を備えること
を特徴とする電話機。
【請求項２】
請求項１記載の電話機であって、
前記音声キャプチャ手段において取得した音声データを出力するための専用のキャプチャ用スピーカをさらに備え、
前記キャプチャ出力手段は、前記キャプチャ用スピーカに前記音声を出力すること
を特徴とする電話機。
【請求項３】
請求項２記載の電話機であって、
利用者からの指示に従って、前記キャプチャ用スピーカから出力する音声の音量調整を行う音量調整手段をさらに備えること
を特徴とする電話機。
【請求項４】
請求項１記載の電話機であって、
前記キャプチャ出力手段が出力した音声を、通話音声と合成して当該電話機のスピーカに出力する音声の合成出力手段をさらに備えること
を特徴とする電話機。
【請求項５】
請求項４記載の電話機であって、
前記キャプチャ出力手段から出力する音声の変調を行う変調制御手段と、
利用者からの指示に従って、前記キャプチャ出力手段から出力する音声の音量調整を行う音量調整手段と、をさらに備えること
を特徴とする電話機。
【請求項６】
回線に送信する音声信号を暗号化するとともに回線から受信した暗号化された音声信号を復号する機能を備える電話機であって、
回線に送信時の音声データおよび/または回線から受信時の音声データを取得する音声キャプチャ手段と、
前記音声キャプチャ手段において取得した前記音声データをイメージデータに変換し、イメージとして出力するキャプチャ表示出力手段と、
前記キャプチャ表示出力手段から出力されたイメージを表示する表示手段と、を備えること
を特徴とする電話機。
【請求項７】
回線に送信する音声信号を暗号化するとともに回線から受信した暗号化された音声信号を復号する機能を備える電話機における暗号化確認方法であって、
回線に送信時の音声データおよび/または回線から受信時の音声データを取得する音声キャプチャステップと、
前記音声キャプチャステップにおいて取得した前記音声データを出力するキャプチャ出力ステップと、を備えること
を特徴とする暗号化確認方法。
【発明の詳細な説明】
【技術分野】
【０００１】
本発明は、暗号化機能付き電話機に係る技術に関する。特に、暗号化機能が有効に作動しているか確認可能な技術に関する。
【背景技術】
【０００２】
一般に盗聴防止機能付き電話機と呼ばれる電話機は、音声を暗号化して通話路（回線）に送出することにより、通話路上での第三者による盗聴を防止する。受信側では、暗号化されて送出された信号を復号化し、音声として出力する（例えば、特許文献１参照。）。
【０００３】
【特許文献１】特開平０８−３２６９３号公報
【発明の開示】
【発明が解決しようとする課題】
【０００４】
上記のような盗聴防止機能付きの電話機は、常に音声信号を暗号化するものもあるが、一般には、利用者からの指示に従って、暗号化する/しないを選択可能なものが多い。このような電話機においては、利用者が暗号化を選択したとしても、利用者自身は、復号化後の音声を聞くことになるため、指示どおり暗号化がなされた音声信号が回線上の送出されているか否かを確認することができない。
【０００５】
利用者に暗号化の有無を知らせるため、暗号化がなされている場合、ＬＣＤやＬＥＤ表示を行うよう構成したものがある。しかしながら、表示は、暗号化がなされている場合目立つように行われるケースが多く、例えば、利用者が暗号化通話を希望していたにも係わらず暗号化指示の操作を忘れた場合などは、気付きにくい。
【０００６】
さらに、何らかの要因、例えば、ノイズなどにより、暗号化するための鍵交換が正常に行われない場合など、気付く手立てはない。
【０００７】
本発明は、上記事情を鑑みてなされたもので、暗号化による盗聴防止機能付きの電話機の利用者が特別な注意を払わなくても、回線に送信される音声信号が暗号化されているか否か、把握可能とすることを目的とする。
【課題を解決するための手段】
【０００８】
本発明の電話機は、回線上で送受信される直前の音声信号を取得し、出力する。
【０００９】
具体的には、回線に送信する音声信号を暗号化するとともに回線から受信した暗号化された音声信号を復号する機能を備える電話機であって、回線に送信時の音声データおよび/または回線から受信時の音声データを取得する音声キャプチャ手段と、前記音声キャプチャ手段において取得した前記音声データを音声として出力するキャプチャ出力手段と、を備えることを特徴とする電話機を提供する。
【発明の効果】
【００１０】
本発明によれば、盗聴防止機能付きの電話機の利用者が特別な注意を払わなくても、回線に送信される音声信号が暗号化されているか否か、把握可能となる。
【発明を実施するための最良の形態】
【００１１】
＜＜第一の実施形態＞＞
以下、本発明を適用した電話機の第一の実施形態を、図を用いて説明する。なお、以下の説明においては、音声信号をＲＴＰ（Ｒｅａｌ−Ｔｉｍｅ  Ｔｒａｎｓｐｏｒｔ  Ｐｒｏｔｏｃｏｌ）パケットで送受信するＩＰ電話機を電話機の例として説明する。もちろん、本発明が適用可能な電話機はこの電話機に限られない。
【００１２】
図１は、本実施形態の電話機が用いられる通信システムの構成図である。本実施形態の通信システムは、発信側電話機１００Ａと着信側電話機１００Ｂと、通信網２００とを備える。通信網２００は、例えば、インターネットや通信事業者の専用回線、社内ＬＡＮ等である。
【００１３】
発信側電話機１００Ａおよび着信側電話機１００Ｂは、それぞれ、暗号化機能および復号化機能を備えた盗聴防止機能付きの電話機である。発信側電話機１００Ａおよび着信側電話機１００Ｂは、基本的に同じ機能を有するため、以下、特に区別する必要がない場合は、電話機１００で代表する。
【００１４】
次に、本実施形態の電話機１００が有する機能について説明する。図２は、電話機１００の構成の一例を示す機能ブロック図である。
【００１５】
本図に示すように、電話機１００は、キャプチャ音声出力部１、音量コントロール部２、表示制御部３、暗号/非暗号表示制御部４、音声入出力部５、変調制御部６、キー入力部７、音声キャプチャ部８、暗号化/復号化制御部９、鍵生成部１０、ＳＩＰ処理部１１、ＲＴＰ/ＲＴＣＰ処理部１２、ＴＣＰ/ＵＤＰ/ＩＰ処理部１３、インタフェース部１４、主制御部１５を備える。
【００１６】
インタフェース部１４は、通信網２００を介して通信相手とＩＰパケットを格納したフレームの送受を行う。
【００１７】
ＴＣＰ/ＵＤＰ/ＩＰ処理部１３は、ＴＣＰ/ＵＤＰ/ＩＰにおいて規定される処理を行う。具体的にはインタフェース部１４から受け取ったＩＰパケットから、ＴＣＰパケットあるいはＵＤＰパケットを取り出し、さらに、ＴＣＰパケットあるいはＵＤＰパケットからＳＩＰパケットおよびＲＴＰパケットを取り出して、ＳＩＰ処理部１１およびＲＴＰ/ＲＴＣＰ処理部１２それぞれに渡す。また、ＳＩＰ処理部１１およびＲＴＰ/ＲＴＣＰ処理部１２からそれぞれ受け取ったＳＩＰパケット、ＲＴＰパケットおよびＲＴＣＰパケットを、ＴＣＰパケットあるいはＵＤＰパケットに格納し、さらに、ＩＰパケットに格納して、インタフェース部１４に渡す。
【００１８】
ＳＩＰ（Ｓｅｓｓｉｏｎ  Ｉｎｉｔｉａｔｉｏｎ  Ｐｒｏｔｏｃｏｌ）処理部１１は、ＳＩＰにおいて規定されるＶｏＩＰの呼制御手順に従って、呼の確立や切断等の処理を行う。具体的には、ＴＣＰ/ＵＤＰ/ＩＰ処理部１３から受け取ったＳＩＰパケットに格納されている呼制御メッセージを解析し、その結果を主制御部１５へ通知する。また、主制御部１５からの指示に従い呼制御メッセージを格納したＳＩＰパケットを生成して、ＴＣＰ/ＵＤＰ/ＩＰ処理部１３へ渡す。これにより、ＳＩＰ処理部１１は、他の電話機１００との間で音声パスを確立する。
【００１９】
ＲＴＰ/ＲＴＣＰ（ＲＴＰ  Ｃｏｎｔｒｏｌ  Ｐｒｏｔｏｃｏｌ）処理部１２は、音声信号等の通話データに対してＲＴＰにおいて規定される処理を行う。また、ＲＴＰの制御プロトコルであり、ＲＴＰとともに用いられ、ＲＴＰパケットのフロー制御（パケット・データの流れを最適化する制御）を行うプロトコルであるＲＴＣＰにおいて規定される処理を行う。
【００２０】
具体的には、ＴＣＰ/ＵＤＰ/ＩＰ処理部１３からＲＴＰパケットを受信し、ＲＴＰに規定される処理に従ってＲＴＰのセッションを制御するとともに、受信したＲＴＰパケットから音声信号を復元する。復元した音声信号は、主制御部１５に渡す。また、音声入出力部５で受信した音声信号を主制御部１５を介して受け取る。ＲＴＰ/ＲＴＣＰ処理部１２は、受け取った音声信号をＲＴＰパケット化してＴＣＰ/ＵＤＰ/ＩＰ処理部１３に渡す。
【００２１】
さらに、ＲＴＰ/ＲＴＰ処理部１２は、ＲＴＣＰパケットの生成、送受信を行う。主制御部１５からの指示に従って、ＲＴＣＰパケットを生成し、ＴＣＰ/ＵＤＰ/ＩＰ処理部１３に渡す。また、ＴＣＰ/ＵＤＰ/ＩＰ処理部１３からＲＴＣＰパケットを受信すると、格納されているデータを取り出し、主制御部１５に渡す。
【００２２】
音声入出力部５は、マイクロフォンから入力された音声をサンプリングし、デジタルデータ（音声信号）に変換する。そして、変換したデジタルデータを、主制御部１５に送る。また、主制御部１５および変調制御部６から受け取ったデジタルデータの音声信号を、アナログ信号に変換してスピーカへ出力する。
【００２３】
キー入力部７は、操作キー等を介して入力されたユーザからの指示（キー操作、フック操作等）を受け付け、受け付けた指示に応じて、主制御部１５に処理を要求する。本実施形態の電話機１００では、キーによりなされる暗号化の指示もキー入力部７において受け付ける。
【００２４】
表示制御部３は、主制御部１５の制御に従って、電話機１００の表示装置であるＬＣＤ等に電話機１００の利用者へ通話状態等を表す表示を行う。さらに、表示制御部３は、暗号/非暗号表示制御部４からの指示に従って、電話機１００が通話を暗号化している状態であるか否かの表示を行う。
【００２５】
暗号化/復号化制御部９は、制御部１５の制御に従って、音声信号の暗号化および復号化を行う。キー入力部１６０において、暗号化の指示を受け付けた場合、マイクから入力され、音声入出力部５を介して主制御部１５が受け取った音声信号（デジタルデータ）を暗号化し、ＲＴＰ/ＲＴＣＰ処理部１２に受け渡す。また、暗号化された音声信号（デジタルデータ）を、ＲＴＰ/ＲＴＣＰ処理部１２から受け取った場合、それを復号し、主制御部１５に渡す。以後、暗号化された音声信号が送受信される通話を、暗号化通話と呼ぶ。なお、受け取ったデータを復号すべきか否かは、後述する通話開始時の鍵交換の成否により判断する。鍵交換が成功裏に行われた場合は、以降の受信データを復号する。鍵交換が行われない、または、鍵交換が不成功の場合は、以降の受信データを復号しない。
【００２６】
鍵保持部１０は、暗号/復号で使用する暗号化鍵を保持する。保持される暗号化鍵は、通話ごとに生成され、相手の電話機１００と交換される。暗号化/復号化制御部９は、鍵保持部１０に保持されている鍵を用い、音声信号の暗号化および復号化を実施する。
【００２７】
音声キャプチャ部８は、主制御部１５の指示に従って、ＲＴＰパケットを取得し、音声信号を抽出する。本機能は一般のサウンドカードなどにより実現される音声キャプチャ機能と同様である。暗号化が適切になされていれば、音声キャプチャ部８が抽出する音声信号は、暗号化後および/または復号前の音声信号となる。
【００２８】
キャプチャ音声出力部１は、主制御部１５の指示に従って、音声キャプチャ部８において抽出された音声信号を、アナログ信号に変換して、専用のスピーカへ出力する。暗号化が適切になされていれば、出力される音声は、暗号化後および/または復号前のから変換された音声となる。従って、利用者には、一般の音声ではなく、ノイズとなって聞こえる。
【００２９】
音量コントロール部２は、音声キャプチャ出力部１が出力するアナログ信号のボリューム（音量）を調整する。例えば、本実施形態の効果を発揮させるため、通話開始時はある程度、利用者に認識可能な音量となるようデフォルトで設定しておく。暗号化の指示をしていない場合は、通常の音声が聞こえるため、利用者は最小の音量あるいは出力をＯＦＦにすることができる。
【００３０】
主制御部１５は、電話機１００の装置全体の制御を行う。例えば、表示制御部３、音声入出力部５、キー入力部７、ＳＩＰ処理部１１、ＲＴＰ/ＲＴＣＰ処理部１２、ＴＣＰ/ＵＤＰ/ＩＰ処理部１３、インタフェース部１５により、通常の電話機としての機能を実現する。
【００３１】
さらに、上記機能に加え、暗号化/復号化制御部９、鍵保持部１０、暗号/非暗号表示制御部４により、盗聴防止機能付きの電話機としての機能を実現する。
【００３２】
また、主制御部１５は、音声キャプチャ部８に、ＲＴＰ/ＲＴＣＰ処理部１２で処理後のＲＴＰパケットを取得させる。そして、キャプチャ音声出力部１に、取得した信号を出力させる。さらに、出力時に、音量コントロール部２が操作を受け付けた場合、操作内容を検出し、それに応じてキャプチャ音声出力部１から出力する信号のボリュームを、音量コントロール部２に調整させる。
【００３３】
例えば、キー入力部７において暗号化の指示を受け付けた場合であって、適切に暗号化処理機能が作動している場合は、キャプチャ音声出力部１から出力される音声は、ノイズの状態となる。また、暗号化通話を行っている際に、インタフェース部１４等を介して受信したＲＴＰパケット内に格納されているデータが、適切に暗号化処理が施されたものである場合も同様である。一方、暗号化機能が適切に作動していない場合、または、暗号化を行う鍵交換が正常に行われなかった場合、キャプチャ音声出力部１からスピーカに出力される音声は、通常の音声となる。
【００３４】
また、利用者が暗号化通話を意図しているにも係わらず、暗号化通信の指示をし忘れた場合も、キャプチャ音声出力部１からスピーカに出力される音声は、通常の音声となる。
【００３５】
従って、本実施形態の電話機１００によれば、利用者は、キャプチャ音声出力部１からスピーカに出力される音声により、暗号化が意図どおりに行われているかどうか判断することができる。
【００３６】
上述した電話機１００のハードウエア構成を図３に示す。本実施形態の電話機１００は、一般のＩＰ電話機同様、ＲＯＭ７１、ＲＡＭ７２、ＣＰＵ７０、アナログデジタル音声変換を行う音声コーデック７４、イーサネット（登録商標）とのインタフェースであるＥｔｈｅｒＰＨＹ７３、ＬＣＤ５０、キー６０、また、受話器３０として、スピーカ３１およびマイク３２を備える。キー６０は、通常の数字を入力するためのテンキーに加え、暗号化の指示を受け付ける暗号化キーを備える。
【００３７】
さらに、本実施形態特有の構成として、音声キャプチャ部８により取得された信号を、キャプチャ音声出力１により出力するための、キャプチャ信号出力用スピーカ（キャプチャ用スピーカと呼ぶ）１０と、キャプチャ用スピーカのボリュームを調整するためのスイッチである音量スイッチ２０とを備える。
【００３８】
ＣＰＵ７０は、ＲＯＭ７１に格納されたプログラムをＲＡＭ７２に読み込んで実行することにより、上記電話機１００の各機能を実現する。
【００３９】
図４に、本実施形態の電話機１００の外観構成の一例を示す。
【００４０】
本図に示すように、本実施形態の電話機１００は、一般の電話機が有する構成に加え、キャプチャ用スピーカ１０と、音量スイッチ２０とを備える。また、キー６０に、暗号化の指示を受け付ける暗号化キー６１を備える。もちろん、電話機１００の外観構成は、これに限られない。
【００４１】
次に、電話機１００が暗号化通話を行っている場合の、主制御部１５の処理について説明する。
【００４２】
図５は、暗号化通話中の本実施形態の電話機１００の主制御部１５による処理を説明するための図である。
【００４３】
音声入出力部５により、受け付けた音声をデジタル信号に変換させる（ステップＳ５０１）。
【００４４】
暗号化/復号化制御部９に、鍵保持部１０が保持している鍵を用いて暗号化させる（ステップＳ５０２）。
【００４５】
暗号化後、ＲＴＰ/ＲＴＣＰ処理部１２に、暗号化後の音声信号からＲＴＰパケットを生成させ（ステップＳ５０３）、ＴＣＰ/ＵＤＰ/ＩＰ処理部１３、インタフェース部１４を介して、通信網２００に送出させる（ステップＳ５０４）。
【００４６】
また、ステップＳ５０３において生成された暗号化された音声信号が格納されているＲＴＰパケットを音声キャプチャ部８に取得させ（ステップＳ５０５）、暗号化後の音声信号を抽出させる。
【００４７】
音声キャプチャ部８が抽出した暗号化後の音声信号を、キャプチャ音声出力部１にキャプチャ用スピーカ１０へ出力させる（ステップＳ５０６）。このとき、音量コントロール部２より音量調整の指示を受け付けると、指示に従って、キャプチャ音声出力部１よりの出力音量を調整する。
【００４８】
図６は、インタフェース部１４よりパケットを受信した場合の主制御部１５の処理を説明するための図である。
【００４９】
インタフェース部１４、ＴＣＰ/ＵＤＰ/ＩＰ処理部１３を介してＲＴＰパケットを受信すると（ステップＳ６０１）、ＲＴＰ/ＲＴＣＰ処理部１２に、格納されている音声信号を抽出させる（ステップＳ６０２）。
【００５０】
その後、暗号化/復号化制御部９に、鍵保持部１０に保持されている鍵を用いて抽出された音声信号を復号させる（ステップＳ６０３）。そして、音声入出力部５に、復号された音声信号をスピーカ３１へ出力させる（ステップＳ６０４）。
【００５１】
また、ステップＳ６０１で受信したＲＴＰパケットを、音声キャプチャ部８に取得させ（ステップＳ６０５）、復号前の音声信号を抽出させる。
【００５２】
音声キャプチャ部８が抽出した暗号化後の音声信号を、キャプチャ音声出力部１にキャプチャ用スピーカ１０へ出力させる（ステップＳ６０６）。このとき、音量コントロール部２より音量調整の指示を受け付けると、指示に従って、キャプチャ音声出力部１よりの出力音量を調整する。
【００５３】
以上説明したように、本実施形態の電話機１００によれば、通話路である通信網２００に送出される信号を、電話機１００の利用者がそのまま聞くことができる。その音声は、暗号化が適切になされていれば、ノイズとなって出力される。従って、利用者は、キャプチャ用スピーカ１０から出力される音声がノイズであるか正常な音声であるかにより、通話が暗号化されているか否か、容易かつ確実に把握することができる。
【００５４】
本実施形態によれば、暗号化通話を意図しているにも係わらず暗号化の指示を忘れた場合、あるいは、暗号化を指示したにも係わらず何らかの要因により暗号化が解除された場合は、音声信号が暗号化されずにＲＴＰパケットとして通話路に送出され、正常な音声がキャプチャ用スピーカ１０から出力されることとなる。従って、実際に通話路に流れている信号を音声として聞く利用者は、容易に気付くことができる。
【００５５】
なお、上記の実施形態では、音声キャプチャ部８は、電話機１００間で音声パスが確立された後、常時、通信網２００に送出されるＲＴＰパケット内の音声を出力している。しかしながら、本発明の実施形態はこれに限られない。例えば、電話機１００に無音検出部を付加し、無音検出部にて、有音であること、すなわち通話がなされ、音声信号が送受信されている時に限り、主制御部１５が、音声キャプチャ部８に、ＲＴＰパケットをキャプチャさせるよう構成してもよい。この場合、無音検出部は、音声入出力部５からの入力、および、インタフェース部１４などを介して受信する相手方電話機１００からのＲＴＰパケット内の音声信号の有無を検出するよう付加する。
【００５６】
＜＜第二の実施形態＞＞
上記の第一の実施形態の電話機１００は、通話路に送出したＲＴＰパケットから抽出した音声の出力のため、専用のキャプチャ用スピーカ１０を備えている。しかしながら、本発明を適用可能な実施形態はこれに限られない。例えば、受話器３０のスピーカ３１が本機能を兼ねるよう構成してもよい。受話器３０のスピーカ３１が、通信網２００に送出したＲＴＰパケット内の音声の出力も兼ねる場合の例を第二の実施形態として次に説明する。
【００５７】
なお、以下、第二の実施形態において、第一の実施形態と同様の構成、機能については、説明しない。通信システム全体の構成も第一の実施形態と同じである。
【００５８】
本発明の第二の実施形態の電話機１００の機能構成の一例を図７に示す。本図に示すように、本実施形態の第一の実施形態と異なる構成は、キャプチャ音声出力部８の出力先が音声入出力部５となっている部分、および、キャプチャ音声出力部８と主制御部１５との間に変調制御部１６が付加されている部分である。また、音声入出力部５の出力時の処理も異なる。
【００５９】
本実施形態では、主制御部１５は、キャプチャ音声出力部１に、音声キャプチャ部８が取得して抽出した音声信号を、アナログの音声に変換させ、音声出力部５に出力させる。
【００６０】
このとき、主制御部１５は、音声出力部５に、通常の出力音声とキャプチャ音声出力部１から受け取った音声とを合成させ、スピーカ３１から出力させる。
【００６１】
変調制御部１６は、キャプチャ音声出力部１から出力される音声の音質を変化させるため、音声の周波数を変化させる。本実施形態においては、音声キャプチャ部８で取得したＲＴＰパケットから抽出した音声が、同一のスピーカ３１から通常の通話音声とともに出力される。暗号化が適切になされている場合、音声キャプチャ部８で取得したＲＴＰパケットから抽出した音声は、ノイズとなって出力される。また、暗号化がなされていない場合、当該音声は通常の通話の音声と区別がつかない。
【００６２】
従って、変調制御部１６は、暗号化が適切になされている場合は、通常の通話音声の妨げとならないよう、また、暗号化がなされていない場合は、逆に、通常の通話音声との区別がつくように、キャプチャ音声出力部１から出力される音声の再生周波数を変化させる。
【００６３】
なお、音量コントロール部２は、第一の実施形態同様、利用者からのスイッチ等による指示に従って、キャプチャ音声出力部１から出力される音声のみ、その音量を調整する。これにより、キャプチャ音声出力部１からの音声出力が、同一のスピーカ３１から出力される通常の通話音声の妨げとなりにくくする。
【００６４】
他の機能、および、主制御部１１の他の処理は、基本的には第一の実施形態と同様である。
【００６５】
本実施形態でも、第一の実施形態同様、無音検出機能を備えていてもよい。
【００６６】
本実施形態によれば、電話機１００の利用者は、暗号化が適切になされていれば、実際に通信網２００に送出される暗号化後の音声をノイズとして聞くことができ、暗号化がなされていることを、確実に把握することができる。また、本実施形態によれば、利用者は、暗号化後の音声であるノイズを受話器のスピーカを介して聞くため、騒がしい環境であっても、確実に暗号化後の音声を聞くことができる。
【００６７】
＜＜第三の実施形態＞＞
上記の第一および第二の実施形態の電話機１００は、通信網２００に送出されるＲＴＰパケットに格納されている音声がスピーカに出力される。しかしながら、本発明を適用可能な実施形態はこれに限られない。例えば、通信網２００に送出されるＲＴＰパケットに格納されている音声を、電話機１００の表示部であるＬＣＤ５０に、イメージとして出力することも可能である。通信網２００に送出されるＲＴＰパケットから抽出した音声を、表示部にイメージとして出力する構成を、第三の実施形態として次に説明する。
【００６８】
なお、以下、第三の実施形態において、第一および第二の実施形態と同様の構成、機能については、説明しない。通信システム全体の構成も第一の実施形態と同じである。
【００６９】
本発明の第三の実施形態の電話機１００の機能構成を図８に示す。本図に示すように、本実施形態の電話機１００は、第一の実施形態の電話機１００の、キャプチャ音声出力部１および音量コントロール部２の代わりに、キャプチャ音声表示処理部１７を備える。
【００７０】
主制御部１５は、音声キャプチャ部８が取得し、抽出した音声信号を、キャプチャ音声表示処理部１７に渡す。
【００７１】
キャプチャ音声表示処理部１７は、受け取った音声信号を、アナログ信号に変換し、音声レベルを棒グラフなどで表示可能な形式に変換する。これは一般のＣＤ再生装置などに備えられている音声信号の表示処理と同様であるため、ここでは、詳細に説明しない。キャプチャ音声表示処理部１７は、変換後の表示データを、表示制御部３に渡す。
【００７２】
主制御部１５は、表示制御部３に、キャプチャ音声表示処理部１７から受け取った表示データを他の表示すべきデータと合成させ、ＬＣＤ５０に表示させる。
【００７３】
ＬＣＤ５０への表示例を図９に示す。図９（ａ）が暗号化後（復号前）の音声の表示例であり、図９（ｂ）が通常の通話音声の場合の表示例である。本図に示すように、暗号化後（復号前）の音声は、ノイズ音声であるため、音声レベルとしては一定であり、変化のない表示となる。一方、通常の通話音声は、音声レベルが絶えず変化して表示される。本表示により、電話機１００の利用者は、通話路に送出されている音声が、暗号化されているか否かを識別することができる。
【００７４】
他の機能、および、主制御部１１の他の処理は、基本的には第一の実施形態と同様である。
【００７５】
本実施形態でも、第一および第二の実施形態同様、無音検出機能を備えていてもよい。本実施形態では、無音検出機能が通話を検出した場合のみ、ＬＣＤ５０に表示するよう構成する。
【００７６】
本実施形態によれば、暗号化がなされずに通信網２００に送出されたＲＴＰパケットから抽出した音声信号のＬＣＤ５０への表示は、一般の通話信号であるため、レベルの変動があり、動きの多いものとなる。従って、電話機１００の利用者は、暗号化を意図していたにも係わらず暗号化の指示をし忘れたり操作ミスを行った場合、あるいは、暗号化の指示を行ったにも係わらず、何らかの要因で暗号化処理が機能しない場合、暗号化されずに通信網２００にＲＴＰパケットが送出されたことを、視覚的に容易に認識することができる。
【００７７】
なお、本実施形態の構成は、第一または第二の実施形態と組み合わせてもよい。すなわち、通信網２００に送出されている音声を、音声としてスピーカから出力し、かつ、イメージとしてＬＣＤ５０にも表示するよう構成してもよい。
【００７８】
組み合わせることにより、電話機１００の利用者は、通話路に送出される音声信号が暗号化されているか否かを、聴覚的および視覚的に、容易に把握でき、万一暗号化が解除された場合も、容易に認識できる。
【００７９】
なお、上記の各実施形態においては、ＩＰ電話機で、音声をＲＴＰにより送受信する場合を例にあげて説明した。すなわち、実際回線上を送受信されるＲＴＰパケットをキャプチャし、格納されている音声信号を出力することにより暗号化の有無を確認する構成の実施形態を例にあげて説明した。
【００８０】
しかしながら、音声の送受信のプロトコルはこれに限られない。暗号化後の音声データを格納し、送受信可能なプロトコルであれば、ＵＤＰを使った任意のパケットであってもよい。この場合、音声キャプチャ部８では、通信網２００に送出されたＵＤＰパケットから音声を抽出する。
【００８１】
また、上記の実施形態では、通信網２００がインターネットやＬＡＮであり、電話機１００がＩＰ電話である場合を例にあげて説明したが、通信網や電話機の種類もこれに限られない。電話機自体が暗号化機能を有し、通信網に出力直前の信号をキャプチャ可能な構成であれば、通信網がアナログ回線、ＩＳＤＮ回線、電話機がそれぞれに対応するものであってもよい。
【図面の簡単な説明】
【００８２】
【図１】図１は、第一の実施形態の電話機による通信システムの構成図である。
【図２】図２は、第一の実施形態の電話機の構成の一例を示す機能ブロック図である。
【図３】図３は、第一の実施形態の電話機のハードウエア構成の一例を示す図である。
【図４】図４は、第一の実施形態の電話機の外観構成の一例を示す図である。
【図５】図５は、第一の実施形態の電話機の、音声送出時の主制御部の処理を説明するための図である。
【図６】図６は、第一の実施形態の電話機の、音声受信時の主制御部の処理を説明するための図である。
【図７】図７は、第二の実施形態の電話機の電話機の構成の一例を示す機能ブロック図である。
【図８】図８は、第三の実施形態の電話機の電話機の構成の一例を示す機能ブロック図である。
【図９】図９は、第三の実施形態の表示部への表示例である。
【符号の説明】
【００８３】
１００：電話機、１００Ａ：電話機、１００Ｂ：電話機、２００：通信網、１：キャプチャ音声出力部、２：音声コントロール部、３：表示制御部、４：暗号/非暗号表示制御部、５：音声入出力部、７：キー入力部、８：音声キャプチャ部、９：暗号化/復号化制御部、１０：鍵保持部、１１：ＳＩＰ処理部、１２：ＲＴＰ/ＲＴＣＰ処理部、１３：ＴＣＰ/ＵＤＰ/ＩＰ処理部、１４：インタフェース部、１０：キャプチャ用スピーカ、２０：音量用スイッチ、３０：受話器、３１：スピーカ、３２：マイク、５０：ＬＣＤ、６０：キー、７０：ＣＰＵ，７１：ＲＯＭ、７２：ＲＡＭ、７３：Ｅｔｈｅｒ  ＰＨＹ、７４：音声コーデック、６１：暗号指示キー
【図１】
2006100969.tif 000003
【図２】
2006100969.tif 000004
【図３】
2006100969.tif 000005
【図４】
2006100969.tif 000006
【図５】
2006100969.tif 000007
【図６】
2006100969.tif 000008
【図７】
2006100969.tif 000009
【図８】
2006100969.tif 000010
【図９】
2006100969.tif 000011